(57)【要約】【課題】エプロンの着脱がし易く、しかも、スッキリとしたエプロンの設置状態が得られるエプロン係止具を提供する。【解決手段】浴槽エプロン２に水平状に形成された手掛け溝２ａ内に、収められるエプロン係止具４は、エプロン２の表面側に配置される操作レバー８と、エプロンの裏面側に配置される係止片を備え、操作レバー８をエプロン２に沿う平行位置から、エプロン２面に対し垂直方向へ起こす位置に操作することにより、係止片が係止位置から解除位置へ動くように構成されている。【選択図】                図１
2004298518.tif 000002
【特許請求の範囲】
【請求項１】
浴槽エプロンの表面側に配置される操作レバーと、エプロンの裏面側に配置される係止片を備え、前記操作レバーを、前記エプロンに沿う平行位置から、エプロン面に対し垂直方向へ起こす位置に操作することにより、前記係止片が、係止位置から解除位置へ動くように構成されていることを特徴とするエプロン係止具。
【請求項２】
エプロンには、手の指を入れることのできる手掛け溝が形成され、該手掛け溝内に、エプロンを係脱させるためのエプロン係止具を収めたことを特徴とするエプロン。
【請求項３】
エプロンの下端を、床パンに形成された堤防上に係止する係止構造であって、前記堤防には、前記エプロン側の係止片が載置される載置面部を有する受部材が設けられ、該受部材には、前記係止片を前記載置面部へ導くテーパー部が形成されていることを特徴とするエプロンと床パンの係止構造。
【請求項４】
エプロンの下端を、床パンに形成された堤防上に係止する係止構造であって、前記堤防には、前記エプロン側の係止片が載置される載置面部を有する受部材が設けられ、該受部材は、前記載置面部の少なくとも上下方向位置が調整可能に構成されていることを特徴とするエプロンと床パンの係止構造。
【発明の詳細な説明】
【０００１】
【発明の属する技術分野】
この発明は、エプロンを係止するための係止具、及びエプロン、及びエプロンと床パンの係止構造に関するものである。
【０００２】
【従来の技術】
従来、エプロンを、浴槽のフランジ部と、床パンに形成された堤防間に取り付ける場合、弾性部材を用いたり、エプロンの上端側を浴槽側に引っ掛けて、落とし込み状に床パン側に係止させる構造が一般的である。
【０００３】
【特許文献１】
特開２００２−１０９４０号公報
【０００４】
【発明が解決しようとする課題】
従来のような構造では、エプロンの着脱構造が分かり難く、一般ユーザーにはエプロンの着脱が困難なものであった。
なお、特許文献１に開示されているようなエプロンの係止構造では、エプロンの着脱作業が容易なものとなるが、係止具の回転運動を行う構造であるため、係止具のつまみ部分を大きくする必要があり、つまみ部分が露出して見栄えが悪くなったり、また形状に制約が出てしまうという問題点があった。
【０００５】
【課題を解決するための手段】
本発明は、上記従来の問題点に鑑み案出したものであって、形状に制約がなく操作し易いエプロン係止具、及び、スッキリとした設置状態が得られるエプロン、及び、不具合が生ずることなく良好にエプロンを床パンに係止できる係止構造を提供せんことを目的とし、その第１の要旨は、浴槽エプロンの表面側に配置される操作レバーと、エプロンの裏面側に配置される係止片を備え、前記操作レバーを、前記エプロンに沿う平行位置から、エプロン面に対し垂直方向へ起こす位置に操作することにより、前記係止片が、係止位置から解除位置へ動くように構成されているエプロン係止具である。
【０００６】
また第２の要旨は、手の指を入れることのできる手掛け溝が形成され、該手掛け溝内に、エプロンを係脱させるためのエプロン係止具を収めたエプロンである。
【０００７】
また第３の要旨は、床パンに形成された堤防には、エプロン側の係止片が載置される載置面部を有する受部材が設けられ、該受部材には、前記係止片を前記載置面部へ導くテーパー部が形成されているエプロンと床パンの係止構造である。
【０００８】
また第４の要旨は、床パンに形成された堤防には、エプロン側の係止片が載置される載置面部を有する受部材が設けられ、該受部材は、前記載置面部の少なくとも上下方向位置が調整可能に構成されているエプロンと床パンの係止構造である。
【０００９】
【発明の実施の形態】
以下、本発明の実施例を図面に基づいて説明する。
図１は、エプロンを取り付けた状態の浴槽の斜視構成図である。
浴槽１のフランジ部１ａと、床パン３に立ち上げ形成された堤防３ｂ間に、エプロン２が縦方向に取り付けられるものであり、このエプロン２の下部には、洗い場３ａ側表面に水平方向に手掛け溝２ａが形成され、この手掛け溝２ａ内には、手の指を入れることができるように構成されている。
この手掛け溝２ａの左右の両端側には、それぞれエプロン係止具４，４を収めることができるものであり、エプロン係止具４は、図２のエプロン２の裏面側斜視図で示すように、小ネジ１０を介してエプロン２の手掛け溝２ａ内に固定状に取り付けられるものである。
【００１０】
エプロン係止具４は、図３の分解斜視図で示すような構造となっており、エプロン係止具４を構成するインナーケース５には、フランジ部５ａが形成され、このインナーケース５内には、前後方向にスライドするスライダー６が設けられており、スライダー６の後端には係止片７が連繋されている。また、スライダー６の前端側には、操作レバー８が連繋されており、この操作レバー８は、インナーケース５のフランジ部５ａから前方側へ一体状に突出された軸支持片５ｂに設けられた軸８ａを中心として、開閉操作できるものである。
【００１１】
また、インナーケース５の後部には、被せ状にアウターケース９が取り付けられるものであり、このアウターケース９のフランジ部９ａに小ネジ１０，１０を裏側から差し込んで、アウターケース９のフランジ部９ａと、インナーケース５のフランジ部５ａ間に、図６の断面図で示すように、エプロン２を挟み込み、エプロン係止具４をエプロン２の手掛け溝２ａ内に固定状に取り付けることができるものである。
なお、図６に示すように、エプロン２の手掛け溝２ａの後面には、エプロン係止具４のインナーケース５を、前方側から後方側に向かって通すことのできる開口２ｂが予め形成されている。
このように、エプロン２の手掛け溝２ａの左右両端側に、それぞれエプロン係止具４を小ネジ１０，１０で固定状に取り付けておく。
【００１２】
なお、このエプロン係止具４は、図４の斜視図で示すように、操作レバー８を手掛け溝２ａから洗い場３ａ側に向かって突出させる方向、即ち、操作レバー８をエプロン２の面に対し垂直方向へ起こした状態では、係止片７がインナーケース５及びアウターケース９内に入り込んで解除状態となる。
【００１３】
一方、図５に斜視図で示すように、操作レバー８をインナーケース５のフランジ部５ａと平行状となる位置、即ち、操作レバー８をエプロン２の面に沿う平行状態となる位置に閉じた時には、係止片７がインナーケース５及びアウターケース９から下方側へ垂直に突出するように構成されている。
即ち、操作レバー８をエプロン２に沿う平行位置から、エプロン２の面に垂直方向へ起こす位置に操作することにより、係止片７が下方へ垂下した係止位置から解除位置へ動くように構成されている。
【００１４】
一方、図６の縦断面図で示すように、床パン３の堤防３ｂ上には、エプロン係止具４，４と整合する位置に、予め左右の受部材１１が取り付けられるものである。
この受部材１１は、図７の斜視図で示すような構造となっており、ボルト孔１２ａを有する固定部１２の後端には、一体状に垂下して垂下片１３が形成されており、固定部１２の図示右端には、垂直に立ち上げて立上面部１４が一体形成され、また固定部１２の前端にも垂直に立ち上げて連結補助片１５が一体形成されている。
前記立上面部１４の上端には、略水平な載置面部１６が一体形成されており、この載置面部１６の右端には、上方へ立ち上げて側面ストッパー片１８が一体形成され、載置面部１６の前端には、前記連結補助片１５から連続して上方へ立ち上がる前後方向ストッパー片１７が一体形成されている。
また、載置面部１６の後部は、湾曲した湾曲部１９となっており、この湾曲部１９から前記垂下片１３側へ向かって、傾斜状のテーパー部２０が一体形成されている。
【００１５】
図６に示すように、固定部１２のボルト孔１２ａ内に固定ボルト２１を通して、この固定ボルト２１に螺合させたナット２２を締め付けて、予め床パン３の堤防３ｂ上に受部材１１を固定状に取り付けておくことができ、その際に、受部材１１の固定部１２と堤防３ｂ間には、適宜枚数のスペーサー２３，２３を嵌め込んで、このスペーサー２３，２３により、受部材１１の載置面部１６の上下方向高さ位置を適宜調整することができるものである。
図６の断面図では、エプロン係止具４の操作レバー８がエプロン２に沿う平行位置となっており、係止片７は下方へ垂下した係止位置となっており、この状態では、エプロン係止具４の係止片７が受部材１１の載置面部１６上に載置され、しかも係止片７の前端は、受部材１１の前後方向ストッパー片１７に当接して、前方側への移動が阻止されており、この状態でエプロン２は良好に床パン３の堤防３ｂ上に係止固定された状態となる。
【００１６】
なお、係止片７が受部材１１の載置面部１６に当接して、良好にエプロン２を上方側へ持ち上げた状態となり、エプロン２の上端は良好に浴槽１のフランジ部１ａに押圧されて、ガタツキの生じない状態でエプロン２が取り付けられるものである。
なお、エプロン２にガタツキが生じるような場合には、固定ボルト２１のナット２２を緩めて、前述した如く、スペーサー２３を更に追加して、受部材１１の載置面部１６の高さを良好に調整することができ、係止片７が受部材１１の載置面部１６に当接する時に、良好にエプロン２が持ち上げられるように調整することができるものである。
【００１７】
なお、エプロン係止具４の操作レバー８を、図４のような状態に、即ちエプロン２に対し垂直方向へ起こす位置に操作することにより、係止片７は解除位置へ動くために、係止片７は受部材１１の載置面部１６から離脱され、良好にエプロン２を取り外すことができるものとなる。
なお、エプロン２を係止させる際に、受部材１１にはテーパー部２０、及び湾曲部１９が形成されているため、このテーパー部２０，湾曲部１９に沿って、エプロン係止具４の係止片７を受部材１１の載置面部１６へ導いて、良好に載置面部１６上に載置させることができ、エプロン係止具４の係止片７が引っ掛かって載置面部１６上に載置できないような不具合が起き難くなり、長年使用しても係止片７が引っ掛かることがなく、係止片７の係止動作を円滑に行うことができるものである。
【００１８】
次に図８は、エプロン係止具４の変更例を示すものであり、この図８のエプロン係止具４は、エプロン２に対し縦方向に取り付けられるものであり、エプロン２には、予め縦方向の溝を形成させておき、縦方向の溝内に、エプロン係止具４のケース体２５を、エプロン２面に対し略面一に埋め込み状に取り付けておくことができる。
エプロン係止具４のケース体２５の前面には、上下方向に開閉操作できる操作レバー８が設けられており、この操作レバー８を指で良好に操作できるように、操作レバー８の上端とケース体２５間には、指を入れる手掛け凹部２５ａが形成されている。
【００１９】
操作レバー８を、エプロン２の前面に沿う平行位置から、エプロン２の面に対し垂直方向へ起こす位置へ操作することにより、係止片７が図８の係止位置から解除位置、即ち上方へ動いて解除されるような構造となっており、本例においても、エプロン２を床パン３に係止させた係止状態では、操作レバー８がエプロン２の前面と面一状となり、スッキリとした設置状態が得られるものであり、操作レバー８をエプロン２の面に対し垂直方向へ起こす操作をして、ワンタッチで良好にエプロン２を取り外すことができ、エプロン２の着脱操作が極めて容易なものとなる。
【００２０】
なお、受部材１１の前後方向ストッパー片１７に、螺進退可能に例えば調整ボルトを載置面部１６と平行状に設けておけば、この調整ボルトを適宜調整して、係止片７に対する載置面部１６の前後方向位置も調整可能なものとなり、エプロン２の設置状態での前後方向位置を最適なものに調整できるものである。
【００２１】
【発明の効果】
本発明のエプロン係止具は、浴槽エプロンの表面側に配置される操作レバーと、エプロンの裏面側に配置される係止片を備え、前記操作レバーを、前記エプロンに沿う平行位置から、エプロン面に対し垂直方向へ起こす位置に操作することにより、前記係止片が、係止位置から解除位置へ動くように構成されていることにより、操作レバーの形状に制約がなく、操作し易いものを選定することができ、解除と係止動作を、エプロンに沿う平行位置から起こす位置に引っ張る、あるいは逆に、エプロンに沿う平行位置へ押し込むのそれぞれの一動作で操作することができ、容易にエプロンの着脱ができるものとなり、係止状態では操作レバーは、エプロンに沿う平行位置となり、スッキリとした設置状態が得られるものである。
【００２２】
また、エプロンは、手の指を入れることのできる手掛け溝が形成され、該手掛け溝内に、エプロンを係脱させるためのエプロン係止具を収めたことにより、エプロン係止具は手掛け溝内に収められているため、エプロンの設置状態がスッキリとしたものとなり、使用時に邪魔になることがない。
【００２３】
また、エプロンと床パンの係止構造は、床パンに形成された堤防には、エプロン側の係止片が載置される載置面部を有する受部材が設けられ、該受部材には、前記係止片を前記載置面部へ導くテーパー部が形成されていることにより、エプロン側の係止片が引っ掛かるような不具合が起き難くなり、テーパー部に沿って良好に係止片を受部材の載置面部に載置させることができ、係止片の動作を滑らかに行うことができるものとなる。
【００２４】
また、床パンに形成された堤防には、エプロン側の係止片が載置される載置面部を有する受部材が設けられ、該受部材は、前記載置面部の少なくとも上下方向位置が調整可能に構成されていることにより、施工誤差があっても、後に受部材の上下方向位置を調整して、これを吸収することができ、エプロンの取り付けをガタつくことなく、最適の状態に調整することができるものとなる。
【図面の簡単な説明】
【図１】浴槽と床パン間にエプロンを取り付けた状態の洗い場側から見た斜視構成図である。
【図２】エプロンの裏面側から見たエプロン係止具の取付状態の分解図である。
【図３】エプロン係止具の分解斜視図である。
【図４】エプロン係止具の操作レバーを起こして、係止片を解除位置としたエプロン係止具の斜視構成図である。
【図５】操作レバーをエプロンに沿う平行位置とし、係止片を係止位置にした状態のエプロン係止具の斜視構成図である。
【図６】エプロン係止具及び受部材を介在させて、エプロンを床パンの堤防上に係止させた状態の要部縦断面構成図である。
【図７】受部材の斜視構成図である。
【図８】エプロン係止具の別例を示す斜視構成図である。
【符号の説明】
１    浴槽
１ａ    フランジ部
２    エプロン
２ａ    手掛け溝
２ｂ    開口
３    床パン
３ａ    洗い場
３ｂ    堤防
４    エプロン係止具
５    インナーケース
５ａ    フランジ部
６    スライダー
７    係止片
８    操作レバー
８ａ    軸
９    アウターケース
９ａ    フランジ部
１０    小ネジ
１１    受部材
１２    固定部
１３    垂下片
１４    立上面部
１６    載置面部
１７    前後方向ストッパー片
１８    側面ストッパー片
１９    湾曲部
２０    テーパー部
２１    固定ボルト
２２    ナット
２３    スペーサー
２５    ケース体
２５ａ    手掛け凹部
【図１】
2004298518.tif 000003
【図２】
2004298518.tif 000004
【図３】
2004298518.tif 000005
【図４】
2004298518.tif 000006
【図５】
2004298518.tif 000007
【図６】
2004298518.tif 000008
【図７】
2004298518.tif 000009
【図８】
2004298518.tif 000010